(57)【特許請求の範囲】
【請求項１】
ユーザーをログイン状態とさせるログイン処理と、
ログインしているユーザーのユーザーＩＤと楽曲ＩＤとを対応付けた予約情報を受信し、楽曲の予約を受け付ける楽曲予約処理と、
楽曲予約処理で受け付けた楽曲情報に基づいて演奏を行う楽曲演奏処理と、
ログイン状態のユーザーが所持する携帯端末を特定する特定処理と、
ログイン状態のユーザー中、演奏中の楽曲を予約したユーザー以外を通知対象ユーザーとして判定し、通知対象ユーザーが所持する携帯端末に対し、演奏中の楽曲に対応する模範拍子情報を送信する拍子送信処理と、を実行可能とすることを特徴とする
カラオケ装置。
【請求項２】
マイクロホンで受信した周囲音に基づいて実際の拍子を判定し、実際の拍子が適正であることを条件として、拍子送信処理を実行することを特徴とする
請求項１に記載のカラオケ装置。
【請求項３】
マイクロホンで受信した周囲音に基づいて実際の拍子を判定し、演奏中の楽曲情報に対応する模範拍子情報と実際の拍子を比較して、実際の拍子を評価する拍子評価処理を実行することを特徴とする
請求項１または請求項２に記載のカラオケ装置。
【請求項４】
カラオケ装置と、携帯端末で実行可能なカラオケ用プログラムを含んで構成されるカラオケシステムであって、
カラオケ装置は、
ユーザーをログイン状態とさせるログイン処理と、
ログインしているユーザーのユーザーＩＤと楽曲ＩＤとを対応付けた予約情報を受信し、楽曲の予約を受け付ける楽曲予約処理と、
楽曲予約処理で受け付けた楽曲情報に基づいて演奏を行う楽曲演奏処理と、
ログイン状態のユーザーが所持する携帯端末を特定する特定処理と、
ログイン状態のユーザー中、演奏中の楽曲を予約したユーザー以外を通知対象ユーザーとして判定し、通知対象ユーザーが所持する携帯端末に対し、演奏中の楽曲に対応する模範拍子情報を送信する拍子送信処理と、を実行可能とし、
カラオケ用プログラムは、
受信した模範拍子情報に基づいて、演奏中の楽曲に対応する模範拍子をユーザーに通知する拍子通知処理を、携帯端末に実行させることを特徴とする
カラオケシステム。
【請求項５】
拍子通知処理は、マイクロホンで受信した周囲音に基づいて実際の拍子が適正であることを条件として、模範拍子をユーザーに通知することを特徴とする
請求項４に記載のカラオケシステム。
【発明の詳細な説明】
【技術分野】
【０００１】
本発明は、演奏情報に基づいて楽曲の演奏を行うカラオケ装置、及び、カラオケ装置とカラオケ用プログラムを含んで構成されるカラオケシステムに関する。
【背景技術】
【０００２】
演奏に合わせて歌唱を楽しむことのできるカラオケ装置が知られている。カラオケ装置は、カラオケボックスやスナック等のナイト店に設置され、友人、知人等の社交に利用されている。歌唱者による歌唱を聴取しつつ、手拍子等による合いの手（拍子）を入れることで、ユーザー間による一体感を楽しむことが行われている。カラオケの分野では、歌唱時における合いの手を補助する各種装置が提案されている。
【０００３】
特許文献１には、カラオケ楽曲を再生する際、楽曲データからリズム音データを抽出し、リズム音データに基づいて物理的な振動を発生させることで、リズムに合わせて歌えるように歌唱者を支援するカラオケ装置が開示されている。
【０００４】
特許文献２には、カラオケ等を行う環境において、楽曲の再生と同期して手本データの映像を再生するカラオケシステムが開示されている。このカラオケシステムでは、ユーザーの身体動作と手本データの一致度を特定し、ユーザーの身体動作の評価値を算出することで、客観的な数値として振り付けや合いの手を評価することが可能である。
【先行技術文献】
【特許文献】
【０００５】
【特許文献１】特開２００８−２５００３１号公報
【特許文献２】特開２０１４−２１７６２７号公報
【発明の概要】
【発明が解決しようとする課題】
【０００６】
特許文献１に開示されるカラオケ装置は、歌唱者を対象とする補助であって、合いの手等を入れる聴取者を対象として補助を行うものではなかった。また、特許文献２に開示されるカラオケシステムは、歌唱者、聴取者を特段問うことなく、手本データを表示することで補助を行うものであって、聴取者に限って補助を行うものではない。歌唱時において、聴取者が合いの手を適切に入れることは、歌唱者にとって気分が良いものである。特許文献２のように手本データを表示することで、聴取者に対して適切な合いの手を教示することは可能である。しかしながら、特許文献２に開示されるカラオケシステムは、教示する対象として歌唱者、聴取者を問わず行われるため、手本データが歌唱者にも視認されてしまう可能性がある。手本データを使用して合いの手を入れていることが明らかであると、歌唱している側にとっては興ざめな場合もある。
【課題を解決するための手段】
【０００７】
本発明は、このような課題を解決することを目的として、以下の構成を採用したことを特徴とする。
ユーザーをログイン状態とさせるログイン処理と、
ログインしているユーザーのユーザーＩＤと楽曲ＩＤとを対応付けた予約情報を受信し、楽曲の予約を受け付ける楽曲予約処理と、
楽曲予約処理で受け付けた楽曲情報に基づいて演奏を行う楽曲演奏処理と、
ログイン状態のユーザーが所持する携帯端末を特定する特定処理と、
ログイン状態のユーザー中、演奏中の楽曲を予約したユーザー以外を通知対象ユーザーとして判定し、通知対象ユーザーが所持する携帯端末に対し、演奏中の楽曲に対応する模範拍子情報を送信する拍子送信処理と、を実行可能とすることを特徴とする。
【０００８】
さらに本発明に係るカラオケ装置は、
マイクロホンで受信した周囲音に基づいて実際の拍子を判定し、実際の拍子が適正であることを条件として、拍子送信処理を実行することを特徴とする。
【０００９】
さらに本発明に係るカラオケ装置は、
マイクロホンで受信した周囲音に基づいて実際の拍子を判定し、演奏中の楽曲情報に対応する模範拍子情報と実際の拍子を比較して、実際の拍子を評価する拍子評価処理を実行することを特徴とする。
【００１０】
また本発明に係るカラオケシステムは、
カラオケ装置と、携帯端末で実行可能なカラオケ用プログラムを含んで構成されるカラオケシステムであって、
カラオケ装置は、
ユーザーをログイン状態とさせるログイン処理と、
ログインしているユーザーのユーザーＩＤと楽曲ＩＤとを対応付けた予約情報を受信し、楽曲の予約を受け付ける楽曲予約処理と、
楽曲予約処理で受け付けた楽曲情報に基づいて演奏を行う楽曲演奏処理と、
ログイン状態のユーザーが所持する携帯端末を特定する特定処理と、
ログイン状態のユーザー中、演奏中の楽曲を予約したユーザー以外を通知対象ユーザーとして判定し、通知対象ユーザーが所持する携帯端末に対し、演奏中の楽曲に対応する模範拍子情報を送信する拍子送信処理と、を実行可能とし、
カラオケ用プログラムは、
受信した模範拍子情報に基づいて、演奏中の楽曲に対応する模範拍子をユーザーに通知する拍子通知処理を、携帯端末に実行させることを特徴とする。
【００１１】
さらに本発明に係るカラオケシステムは、
拍子通知処理は、マイクロホンで受信した周囲音に基づいて実際の拍子が適正であることを条件として、模範拍子をユーザーに通知することを特徴とする。
【発明の効果】
【００１２】
本発明に係るカラオケ装置、及び、カラオケシステムによれば、カラオケの場に集まる複数のユーザー中、楽曲を予約したユーザー以外のユーザ（通知対象ユーザ）が所持する携帯端末に対して、演奏中の楽曲に対応する模範拍子情報を送信することとしている。このような構成により、模範拍子情報を受信した携帯端末では、受信した模範拍子情報に基づいて、演奏中の楽曲に対応する模範拍子をユーザーに通知することが可能となる。その際、歌唱している歌唱ユーザ（楽曲を予約したユーザ）の携帯端末では、模範拍子が通知されず、同席する他の聴取ユーザーの携帯端末で模範拍子が通知されることになる。よって、歌唱ユーザーは、他のユーザーによる手拍子や各種楽器（タンバリン等）による拍子を楽しみながら歌唱を行うことが可能となる。また、歌唱者以外の聴取ユーザーは、通知される模範拍子によって、適切に拍子を入れることが可能となり、歌唱の場を一層盛り上げることが可能となる。
【００１３】
さらに本発明に係るカラオケ装置、及び、カラオケシステムによれば、マイクロホンで受信した周囲音に基づいて実際の拍子を判定し、実際に打たれた拍子が適正であることを条件として、拍子送信処理を実行することとしている。このような構成によれば、模範拍子情報に対し適正に拍子を入れている場合、模範拍子が通知される煩わしさがない。
【００１４】
さらに本発明に係るカラオケ装置、及び、カラオケシステムによれば、マイクロホンで受信した周囲音に基づいて実際の拍子を判定し、実際の拍子を評価する拍子評価処理を実行することとしている。このように拍子評価処理を実行することで、手拍子や各種楽器による拍子の適切さの程度をユーザーに通知することが可能となる。
【図面の簡単な説明】
【００１５】
【図１】本実施形態に係るシステムの全体構成を示す図
【図２】本実施形態に係るカラオケシステムの構成を示すブロック図
【図３】本実施形態に係る携帯端末の外観（正面図）を示す図
【図４】本実施形態に係る携帯端末の構成を示すブロック図
【図５】携帯端末を使用したログインから楽曲予約までの処理を示すフロー図
【図６】携帯端末を使用したカラオケシステムの利用例を示す模式図
【図７】本実施形態に係る楽曲再生処理を示すフロー図
【図８】他の実施形態（変形例１）に係る楽曲再生処理を示すフロー図
【図９】他の実施形態（変形例２）に係る楽曲再生処理を示すフロー図
【発明を実施するための形態】
【００１６】
図１は、本実施形態に係るシステムの全体構成を示す図である。本実施形態では、カラオケボックス等のように、カラオケ装置２が複数設置されたカラオケ店舗を想定している。本発明は、このようなカラオケ店舗以外に、スナック等のように１台のカラオケ装置２が設置されたカラオケ店舗に適用することも可能である。カラオケ装置２は、ＬＡＮ１００を介してローカルエリアネットワークを構成している。ローカルエリアネットワークには、ルータ１２０が設置され、ローカルエリアネットワークとインターネット網間を通信接続している。
【００１７】
インターネット網には、通信回線を介してカラオケ装置２を管理するサーバ装置５が通信接続されている。サーバ装置５は、カラオケ装置２を管理するための各種データベース、そして、カラオケ装置２に提供するための楽曲情報等を記憶部５１に記憶している。更に、サーバ装置５は、各種情報を記憶する記憶部５１と、制御手段（図示せず）に相当するＣＰＵ、ＲＯＭ、ＲＡＭ、及び、カラオケ装置２との通信部を備えている。カラオケ装置２は、ローカルエリアネットワークからルータ１２０を介してインターネット網にアクセスし、サーバ装置５と通信することが可能である。
【００１８】
現在、スマートフォンやタブレット端末といった携帯端末６の高機能化が進む中、カラオケの分野においても携帯端末６を使用した各種サービスが提供されている。カラオケにおけるサービスの一つとして、ユーザーの所持する携帯端末６を、使用対象となるカラオケ装置２のリモコンとして使用するサービスがある。ユーザーは、携帯端末６に携帯端末用プログラム（アプリとも呼ばれる）をインストールし、携帯端末用プログラムを起動することで、携帯端末６のユーザーインターフェイスを使用して、使用対象となるカラオケ装置２を遠隔制御することが可能である。
【００１９】
このような携帯端末６を使用したサービスは、携帯端末６と使用対象となるカラオケ装置２とを通信接続する必要がある。図１の例では、部屋Ａに設置されたカラオケ装置２と、部屋Ａを利用するユーザーの携帯端末６とを通信接続しなければならない。
【００２０】
カラオケ店舗には、ローカルエリアネットワーク上にアクセスポイントが設けられ、無線ＬＡＮ環境が構築されている。また、携帯端末６は、携帯通信網（例えば、ＬＴＥ、４Ｇ回線など）を利用してインターネット網にアクセスする通信機能に加え、Ｗｉ−Ｆｉ等の無線ＬＡＮを利用してインターネット網にアクセスする通信機能を有する製品が一般的になっている。携帯端末６では、無線ＬＡＮの通信機能をアクセスポイントと無線接続し、ローカルエリアネットワークに参加させ、携帯端末６と使用対象となるカラオケ装置２とを通信接続させることは技術上可能ではあるものの、セキュリティの関係上行われていない。そこで、現状、携帯通信網を介して、携帯端末６を使用対象となるカラオケ装置２と通信接続することが行われている。携帯通信網には携帯基地局１４０が設けられ、携帯端末６は、携帯基地局１４０と通信接続することが可能である。携帯通信網はゲートウェイ１３０を介してインターネット網と通信接続されている。このような通信環境の中、サーバ装置５が、携帯端末６と仕様対象となるカラオケ装置２間を仲介することで、両者間における各種サービスを提供することが可能となる。
【００２１】
図２は、本発明の実施形態に係るカラオケシステムの構成を示す図である。図１で説明した各カラオケ装置２は、この図２に示すような構成で店舗の各部屋に配置される。カラオケシステムには、カラオケ装置２の他、カラオケ装置２を遠隔制御するためのリモコン装置１が設けられている。カラオケ装置２とリモコン装置１は、ＬＡＮ１００及びアクセスポイント１１０を利用してネットワークを形成するように接続されている。
【００２２】
カラオケ装置２は、楽曲を演奏するための演奏手段として音響制御部２５を備えている。音響制御部２５は、歌唱用マイク４３ａ、４３ｂから入力されるユーザーの歌唱音声を取り込み、演奏音とミキシングしてスピーカー４２から放音させる。また、本実施形態の音響制御部２５には、収音用マイク４４が接続されている。この収音用マイク４４は、主に歌唱を聴取するユーザーによって行われる手拍子、あるいは、タンバリン等の楽器を使用して行われる演奏、といったユーザーによる拍子を検出するために設けられたマイクである。この収音用マイクは、ユーザーによって行われる拍子を検出しやすい位置に配置しておくことが好ましい。
【００２３】
また、カラオケ装置２は、ユーザーからの各種入力を受け付けるスイッチなどで構成される入力手段としての操作部２１を備える。カラオケ装置２は、操作部２１からの入力を解釈してＣＰＵ３０に伝達する操作処理部２２を備える。また、カラオケ装置２は、各種情報を記憶するカラオケ装置側記憶手段としてのハードディスク３２を備える。カラオケ装置２は、ＬＡＮ１００に通信接続してネットワークに加入するためのＬＡＮ通信部２４を備えている。
【００２４】
また、カラオケ装置２は、モニタ４１に対して歌詞映像、背景映像を表示させる映像再生手段を備える。この映像再生手段は、映像情報に基づいて映像を再生する映像再生部２９、再生する映像を一時的に蓄積するビデオＲＡＭ２８、再生された映像に対する歌詞テロップの重畳、映像効果の付与等、各種映像処理を実行可能な映像制御部３１を備えて構成される。
【００２５】
さらに、このカラオケ装置２では、外部に接続されたモニタ４１以外に、タッチパネルモニタ３３に対しても各種情報を表示することを可能としている。タッチパネルモニタ３３は、映像制御部３１から入力された映像情報を表示する表示部３５と、タッチ入力された位置を操作処理部２２に出力するタッチパネル３４が重畳されて構成されている。また、カラオケ装置２に対する各種操作は、カラオケ装置２のフロントパネル等に設けられた操作部２１を介して行うことも可能となっている。
【００２６】
本実施形態のタッチパネルモニタ３３は、リモコン装置１の操作手段であるタッチパネルモニタ１１と同様の操作手段として機能することも可能としている。ユーザーはタッチパネルモニタ３３から楽曲を選択して、直接カラオケ装置２に予約をさせるなど、リモコン装置１と同等の操作手段機能を利用することが可能である。
【００２７】
さらに、カラオケ装置２は、各構成を統括して制御するための制御手段として、各種プログラムを実行するＣＰＵ３０、各種プログラムを実行するにあたって必要となる情報を一時記憶するためのメモリ２７を有して構成される。
【００２８】
このような構成にてカラオケ装置２は、各種処理を実行することとなるが、カラオケ装置２の主な機能として、楽曲予約処理、再生処理などを実行可能としている。楽曲予約処理は、ユーザーからの指示に基づいて楽曲を予約するための処理であってリモコン装置１、あるいは、携帯端末６と連携して実行される。リモコン装置１、あるいは、携帯端末６から送信された予約情報を、メモリ２７内の予約テーブルに登録する。再生処理は、予約された楽曲を再生させる処理であって、演奏処理と歌詞再生処理が同期して実行される処理である。
【００２９】
演奏処理は、楽曲データに含まれる演奏情報を音響制御部２５にて演奏させる処理である。音響制御部２５にて演奏された楽曲は、歌唱用マイク４３ａ、４３ｂから入力される歌唱音声と一緒にスピーカー４２から放音される。歌詞再生処理は、楽曲データに含まれる歌詞情報をモニタ４１に表示させることで歌唱補助を行う処理である。この歌詞再生処理で表示される歌詞に、背景映像を重畳させて表示させる背景映像表示処理を実行することとしてもよい。
【００３０】
一方、リモコン装置１は、予約情報などカラオケ装置２に対して各種指示を送信するとともに、カラオケ装置２あるいはインターネット上に接続されたサーバ装置５から各種情報を受信する。本実施形態では、ユーザーインターフェイスとしてボタンなどの操作部１７と、タッチパネルモニタ１１を備えている。タッチパネルモニタ１１は、表示部１１ａとタッチパネル１１ｂを有して構成され、表示部１１ａに各種インターフェイスを表示するとともに、ユーザーからのタッチ入力を受付可能としている。
【００３１】
さらにリモコン装置１は、楽曲検索に必要とされるデータベース、各種プログラム、並びに、プログラム実行に伴って発生する各種情報を記憶するリモコン側記憶手段としてメモリ１４、そして、これら構成を統括して制御するためのリモコン側制御手段を備えて構成される。リモコン側制御手段には、ＣＰＵにて構成される制御部１５、表示部１１ａに対して表示する映像を形成する映像制御部１３、表示する映像情報を一時的に蓄えるビデオＲＡＭ１２、操作部１７からの入力を解釈して制御部１５に伝達する操作処理部１８が含まれている。
【００３２】
また、リモコン装置１は、無線ＬＡＮ通信部１６によって、アクセスポイント１１０と無線接続されることで、ＬＡＮ１００によって構成されるネットワークに接続される。なお、各リモコン装置１は、特定のカラオケ装置２に対して事前に対応付けされている。リモコン装置１から出力される各種命令は、対応付けされたカラオケ装置２にて受信されることとなる。
【００３３】
このようなリモコン装置１の構成により、ユーザーからの各種入力をタッチパネルモニタ１１、あるいは、操作部１７から受付けるとともに、映像情報をタッチパネルモニタ１１の表示により各種情報を提供することで、カラオケ装置２に対して楽曲予約などの各種指示を行うことが可能とされている。
【００３４】
図３は、本発明の実施形態に係る携帯端末６の外観（正面図）を示す図であり、図４は、本発明の実施形態に係る携帯端末６の構成を示すブロック図である。この携帯端末６としては、スマートフォン、タブレット端末、携帯電話などを採用することが可能である。この携帯端末６に、携帯端末用プログラムをインストールすることで、携帯端末６と使用対象となるカラオケ装置２を対応付けし、両者の間における各種情報の送受信を行うことが可能となる。
【００３５】
本実施形態の携帯端末６は、ＣＰＵ６１、ＲＡＭ６２、記憶部６３、画像処理部６４、音響処理部６６を含んで構成された制御手段を有している。記憶部６３には、ＮＡＮＤ型フラッシュメモリ等の不揮発性の記憶手段を採用することが可能である。この記憶部６３には、本実施形態のプログラム、そして、プログラムで使用する各種データが記憶される。
【００３６】
ＣＰＵ６１は、携帯端末６全体を統括して制御する手段であり、記憶部６３に記憶されたプログラム、データに基づいて各種制御を実行する。ＲＡＭ６２には、ＣＰＵ６１の制御によって生成されたデータを一時的に格納する。
【００３７】
音響処理部６６は、携帯端末６の音響関係の入出力を行う手段である。ＣＰＵ６１の制御によりスピーカー６７ａに放音させる手段である。また、音響処理部６６は、マイクロホン６７ｂと接続され、マイクロホン６７ｂから通話音声や、周囲の音声を取り込み可能としている。
【００３８】
タッチパネル表示部６８は、画像を表示する表示部６８ｂとその表面あるいは裏面に配設されるタッチパネル６８ａを有して構成されている。タッチパネル６８ａには、静電容量方式などユーザーのタッチ位置を認識可能とする各種タイプを採用することが可能である。ＣＰＵ６１は、表示部６８ｂに表示を行うとともに、タッチパネル６８ａからのタッチ入力にて、表示させている画像中のどの部分にタッチ入力されたかを判定することが可能である。
【００３９】
画像処理部６４は、携帯端末６の画像関係の入出力を行う手段である。画像処理部６４は、ＣＰＵ６１で形成された画像を表示部６８ｂに表示出力する。そして、携帯端末６の前面（タッチパネル表示部６８側）に配置されたフロントカメラ６５Ｆ、もしくは、携帯端末６の背面に配置されたリアカメラ６５Ｒから画像、又は、映像であれば動画を取り込み、画像、又は、動画情報として、記憶部６３に記憶する機能を有する。
【００４０】
本実施形態の携帯端末６は、外部と通信するための通信手段として第１通信部６９ａ、第２通信部６９ｂを備える。第１通信部６９ａは、携帯通信網接続用の通信手段であって、携帯基地局１４０に無線接続することで、携帯通信網の通信回線でインターネット網を介した各通信を行うことが可能である。第２通信部６９ｂは、Ｗｉｆｉ接続用の通信手段である。携帯端末６は第２通信部６９ｂを使用して、アクセスポイント１１０に無線接続し、アクセスポイント１１０が参加するローカルエリアネットワークに通信接続することが可能である。なお、携帯端末６の通信手段としては、第１通信部６９ａ、第２通信部６９ｂ以外に、赤外線通信部、Ｂｌｕｅｔｏｏｔｈ（登録商標）といった近距離通信手段等を設けることとしてもよい。
【００４１】
本実施形態の携帯端末６は、入力手段としてタッチパネル６８ａ以外に入力スイッチ７０を備えて構成されている。この入力スイッチ７０（図３の入力スイッチ７０ａ、７０ｂ、７０ｃ等）には、電源スイッチ、音量調整スイッチ、プログラムに応じて入力用途が変更されるスイッチなど、各種スイッチを設けることが可能である。
【００４２】
さらに本実施形態の携帯端末６は、携帯端末６を所持するユーザーに各種通知を行うため、振動部７２、ＬＥＤ７３を有する。振動部７２は、モータの軸に偏心させたウェイトを取り付けて構成される部材である。モータを回転駆動することでユーザーに通知可能な振動を伝えることが可能である。ＬＥＤ７３は、図３に示すように携帯端末６の正面上方に配置され、明滅することでユーザーに各種通知を行うことができる。
【００４３】
このような携帯端末６では、携帯端末用プログラムをインストールすることで、使用対象となるカラオケ装置２に対して、各種コマンドを送信するリモコン機能、あるいは、歌唱を聴取しているユーザーに適切な拍子を通知する機能を追加することが可能となる。では、これらの機能について処理の詳細を説明する。
【００４４】
図５は、携帯端末６を使用したログインから楽曲予約までの処理を示すフロー図である。図１で説明したように携帯端末６は、インターネット網上に設置されたサーバ装置５と携帯電話網を介して通信接続されている。また、サーバ装置５は、カラオケ店舗に設置されたルータ１２０とインターネット網を介して通信接続されている。そして、ルータ１２０とカラオケ装置２は、ＬＡＮ１００によるローカルエリアネットワークによって通信接続されている。本実施形態中、ルータ１２０以下に形成されるローカルエリアネットワークを、ローカルネットワーク、ルータ１２０より上に形成されるインターネット網、及び、携帯電話網を外部ネットワークと呼称する。ルータ１２０は、「ローカルネットワーク」と「外部ネットワーク」間とを通信接続する。また、ルータ１２０は、両ネットワークの情報送受信に対してネットワークアドレス変換処理を実行する機能を有する。
【００４５】
カラオケ店舗に入店したユーザーは、まず、携帯端末６上で携帯端末用プログラムを起動し、携帯通信網を介してサーバ装置５にログイン認証依頼を送信する。ログイン認証依頼では、ユーザーＩＤ（ユーザー識別情報）、パスワードの他、使用対象となるカラオケ装置ＩＤ（カラオケ装置識別情報）、携帯端末６のＩＰアドレス（ネットワークアドレス情報）を送信する。ここで、使用対象となるカラオケ装置２とは、ユーザーが所持する携帯端末６と同じ部屋（図１の場合、部屋Ａ）に設置されたカラオケ装置２のことをいう。ユーザーは、リモコン装置１に表示された２次元バーコード（カラオケ装置ＩＤを含んでいる）を読み取る等、各種手段によって、使用対象となるカラオケ装置２のカラオケ装置ＩＤを取得し、ログイン認証依頼に含めて送信する。
【００４６】
使用対象となるカラオケ装置２の判定、すなわち、携帯端末６とカラオケ装置２の対応付け（紐付けとも呼ばれる）は、リモコン装置１と携帯端末６で同じユーザーＩＤを使用してログインすることで行うことも可能である。サーバ装置５は、リモコン装置１と携帯端末６の両方から、同じユーザーＩＤを使用したログインを検出した場合、リモコン装置１に対応付けられているカラオケ装置２を、携帯端末６に対応付けることで、携帯端末６とカラオケ装置２とを対応付けることが可能である。
【００４７】
携帯端末６からログイン認証依頼を受信したサーバ装置５は、携帯端末６とカラオケ装置２間での通信を可能とするべくログイン処理（Ｓ１１）を実行する。ログイン処理については、各種形態を採用することが可能である。ログイン後、サーバ装置５は、携帯端末６の使用対象となるカラオケ装置２に対して、ユーザーＩＤと、携帯端末６のＩＰアドレスを通知する。カラオケ装置２は、受信したユーザーＩＤと携帯端末６のＩＰアドレスを対応付けて記憶する（Ｓ１２）。カラオケ装置２は、このユーザーＩＤとＩＰアドレスを対応付けたテーブルを参照することで、対応付けられている携帯端末６、すなわち、当該カラオケ装置２を使用対象としているユーザー、及び、ユーザーが所持する携帯端末６を特定することが可能である。なお、携帯端末６がログオフした場合、カラオケ装置２に登録された当該携帯端末６に関する情報（ユーザーＩＤとＩＰアドレス）は解除される。
【００４８】
このようにカラオケ装置２と対応付けされた携帯端末６は、携帯端末用プログラムを使用して楽曲の選曲、予約を行うことが可能である。携帯端末６を使用して楽曲の予約を行った場合、使用対象であるカラオケ装置２に対して予約情報が送信される。本実施形態では、携帯通信網を介して予約情報を送信する形態となっている。予約情報には、ユーザーＩＤ、使用対象となっているカラオケ装置２のカラオケ装置ＩＤ、楽曲ＩＤを含んで構成されている。携帯端末６から送信された予約情報は、携帯通信網を介してサーバ装置５に送信される。サーバ装置５は、予約情報に含まれるカラオケ装置ＩＤを宛先として使用し、使用対象となるカラオケ装置２に予約情報を転送する。
【００４９】
サーバ装置５から転送された予約情報は、ルータ１２０を介してカラオケ装置２で受信される。予約情報を受信したカラオケ装置２は、予約情報を予約テーブルに登録（Ｓ１３）して、楽曲再生処理を実行する（Ｓ２０）。
【００５０】
本実施形態では、楽曲を再生する際、歌唱を聴取するユーザーに対して、手拍子や合いの手、タンバリン等の楽器を使用した拍子の補助を行うこととしている。図５で説明したよう、カラオケ装置２は、Ｓ１２で記憶した携帯端末６のＩＰアドレスに基づき、現在、カラオケ装置２を使用している携帯端末６を特定することが可能である。図６は、携帯端末６を使用したカラオケシステムの利用例を示す模式図であって、カラオケボックスのある部屋内でカラオケ装置２を使用している例を示した図である。この例では、４人のユーザーＡ〜ユーザーＤが使用している場合を例としている。また、各ユーザーＡ〜Ｄは、それぞれ携帯端末６ａ〜６ｄを所持しており、ログインして使用している場合を想定している。
【００５１】
手拍子や合いの手等の拍子は、主に歌唱を行うユーザー（歌唱ユーザー）を支援することを目的として、歌唱を聴取するユーザー（聴取ユーザー）によって行われることになる。本実施形態では、携帯端末６を使用しているユーザー中、聴取ユーザーに対して、模範となる拍子を通知することで、聴取ユーザーが適切に歌唱支援を行うことができることを目的としている。模範的な拍子を参照しながら手拍子、合いの手を入れていることが歌唱ユーザーに分かると、歌唱ユーザーが興ざめとなる場合もある。本実施形態では、聴取ユーザーが所持する携帯端末６に対して通知を行うため、通知された拍子を使用して手拍子や合いの手を入れていることが、歌唱ユーザーにとって認識され難い形態となっている。
【００５２】
図５で説明したように、予約情報には、歌唱するユーザーを示すユーザーＩＤが含まれている。カラオケ装置２では、予約情報に含まれるユーザーＩＤを参照することで、歌唱ユーザーを特定することが可能である。また、カラオケ装置２では、カラオケ装置２に対応付けられているユーザーＩＤ、及び、携帯端末６のＩＰアドレスを記憶している。したがって、歌唱ユーザー以外のユーザーを、聴取ユーザーを通知対象ユーザーとして特定するとともに、通知対象ユーザーの携帯端末６を特定することが可能である。カラオケ装置２は、楽曲を再生する際、この通知対象ユーザーの携帯端末６に対して、模範となる拍子を通知する。図５の模式図では、ユーザーＡが歌唱ユーザーであり、ユーザーＢ、ユーザーＣ、ユーザーＤが聴取ユーザー（通知対象ユーザー）となっている例である。この場合、聴取ユーザーが所持する携帯端末６ｂ〜６ｄに対して、ＬＥＤ７３を点滅させる（Ｆｂ〜Ｆｄ）ことで模範となる拍子を通知する。一方、歌唱ユーザーの所持する携帯端末６ａのＬＥＤは点滅させない。
【００５３】
図７は、本実施形態に係る楽曲再生処理を示すフロー図である。楽曲再生処理は、予約テーブルに登録された予約情報を参照することで実行される。カラオケ装置２は、予約情報を参照し、まず、通知対象特定処理（Ｓ２１）を実行する。この通知対象特定処理は、模範となる拍子を通知する携帯端末６を特定するための処理である。図７の例は、図６の模式図の場合であって、ユーザーＡが歌唱ユーザー、ユーザーＢ〜Ｄが聴取ユーザー（通知対象ユーザー）の場合である。この場合、ユーザーＢ〜Ｄが所持する携帯端末６ｂ〜６ｄを通知対象として特定し、これらの携帯端末６ｂ〜６ｄに模範となる拍子の通知を行う。
【００５４】
カラオケ装置２は、通知対象として特定した携帯端末６ｂ〜６ｄに通信確立要求を送信する。ここで、拍子の通知に遅延が生じることは、適切なタイミングで拍子を通知するには都合悪い。本実施形態では、カラオケ店舗に施設された無線ＬＡＮを使用することで、遅延の抑制を図っている。図５で説明したように、カラオケ装置２は、対応付けられている携帯端末６のＩＰアドレスを記憶している（Ｓ１２）。したがって、カラオケ装置２は、このＩＰアドレスを使用して、ローカルネットワーク内の携帯端末６ｂ〜６ｄを特定し、直接、無線通信を行うことが可能である。このように無線ＬＡＮを使用した場合、予約情報を送信する場合のように、サーバ装置５を介して送信する場合と比較して、データ送信の遅延時間を短くすることが可能である。
【００５５】
通信確立要求を受信した携帯端末６ｂ〜６ｄは、カラオケ装置２に対して通信許可を送信する。携帯端末６ｂ〜６ｄでは、許可したネットワーク以外に接続しないように設定することも可能である。そのように設定された携帯端末６ｂ〜６ｄは、カラオケ装置２に通信許可を送信せず、以降の処理を中断する。カラオケ装置２は、予約情報に含まれる楽曲ＩＤに対応する楽曲情報を読み出し、楽曲の演奏を開始する（Ｓ２２）。また、模範となる拍子を通知するため、カラオケ装置２は、通知対象となる携帯端末６ｂ〜６ｄに対して通信開始通知を送信する。模範拍子の通知準備が整った携帯端末６ｂ〜６ｄは、カラオケ装置２に対して模範拍子情報要求を送信する。カラオケ装置２は、模範拍子情報要求を送信してきた携帯端末６ｂ〜６ｄに対して、模範拍子タイミングを送信する。この模範拍子タイミングは、手拍子や合いの手を入れるタイミング時に送信される情報である。模範拍子タイミングを受信した携帯端末６は、受信したタイミングでＬＥＤ７３を点灯させる（図６のＦｂ〜Ｆｄ）ことで、ユーザーに模範的な拍子を通知する（Ｓ２４）。
【００５６】
模範拍子タイミングは、演奏対象となる演奏情報中に予め規定しておく、あるいは、演奏情報中の所定パートの特徴に基づいて判定することが可能である。また、本実施形態では、模範拍子タイミングが到来した時に、模範拍子タイミングを携帯端末６ｂ〜６ｄに送信する形態としているが、予め、複数の模範拍子タイミングを携帯端末６ｂ〜６ｄに送信しておき、携帯端末６ｂ〜６ｄで通知タイミングを判定して通知することとしてもよい。なお、携帯端末６ａは、歌唱ユーザーによって所持されているため、模範となる拍子の通知は行っていない。
【００５７】
以上、本実施形態では、歌唱ユーザー以外の聴取ユーザーを通知対象ユーザーとして特定し、通知対象ユーザーの所持する携帯端末６ｂ〜６ｄに対して、模範的な拍子を通知することで、聴取ユーザーは通知された模範的な拍子を参照して、手拍子や合いの手等を打つことが可能となる。また、歌唱ユーザーは、適切な手拍子、合いの手により、気分良く歌唱することが可能となる。
【００５８】
本実施形態では、模範的な拍子をＬＥＤ７３の点滅で通知する形態としているが、通知の形態は、このような形態に限られるものではない。例えば、携帯端末６の振動部７２を振動させることや、タッチパネル表示部６８に表示させる通知形態としてもよい。特に、振動による通知形態では、携帯端末６をポケットに入れた状態でも、模範的な拍子を体感させて通知することが可能である。
【００５９】
（変形例１）
図８は、他の実施形態（変形例１）に係る楽曲再生処理を示すフロー図である。前述の実施形態では、楽曲を演奏している際、常に模範的な拍子を通知する形態としていたが、この変形例１では、ユーザーの手拍子、合いの手が不適切と判定された場合に、模範的な拍子を通知する形態となっている。図８のフロー図中、携帯端末６ｂ〜６ｄが模範拍子情報を要求するまでの処理（Ｓ２５はＳ２１に相当し、Ｓ２６はＳ２２に相当）は、前述の実施形態と同様である。
【００６０】
楽曲の再生中、カラオケ装置２は、収音用マイク４４から周囲音を抽出する（Ｓ２７）。この周囲音からカラオケ装置２の演奏音と歌唱用マイク４３ａ、４３ｂに入力される歌唱音声を差し引くことで、ユーザーによる手拍子や合いの手等、実際の拍子を抽出することが可能である。抽出された実際の拍子を模範的な拍子と比較し、実際の拍子のタイミングが適正でないと判定された場合（Ｓ２８：Ｎｏ）、カラオケ装置２は、通知対象となる携帯端末６ｂ〜６ｄに模範拍子タイミングを送信する。模範拍子タイミングを受信した携帯端末６ｂ〜６ｄは、ＬＥＤ７３を点灯させることで、聴取ユーザーに適切な拍子のタイミングを通知する（Ｓ３１）。楽曲再生中、Ｓ２７、Ｓ２８の処理を繰り返し実行することで、実際の拍子のタイミングが適正で無い場合に、携帯端末６ｂ〜６ｄで模範的な拍子が通知される。適正に拍子を取っている場合にも、模範的な拍子が通知されると煩わしさを感じることがある。変形例２では、模範的な拍子が必要な場合のみ、その通知を行うことでユーザーに煩わしさを感じさせない構成となっている。
【００６１】
楽曲の再生が終了したことが判定される（Ｓ２９：Ｙｅｓ）と、カラオケ装置２は、周囲音から抽出した実際の拍子に対する評価を算出する（Ｓ３０）。評価としては、実際の拍子を模範的な拍子と比較して算出した採点値、あるいは、ランク付け等が考えられる。算出した評価結果は、通知対象となっている携帯端末６ｂ〜６ｄに送信される。携帯端末６ｂ〜６ｄは、受信した評価結果をタッチパネル表示部６８に表示する等の形態で、聴取ユーザーに通知する（Ｓ３２）。なお、再生終了後に通知される拍子の評価結果は、聴取ユーザーの携帯端末６ｂ〜６ｄのみならず、歌唱ユーザーの携帯端末６ａで通知することとしてもよい。あるいは、カラオケ装置２に接続されたモニタ４１に拍子の評価を表示することとしてもよい。歌唱の場に集うユーザー間で、拍子に対する評価を共有することが可能である。
【００６２】
（変形例２）
図９は、他の実施形態（変形例２）に係る楽曲再生処理を示すフロー図である。変形例１では、カラオケ装置２側で拍子の適正さを判定していたが、拍子の適正さは携帯端末６ｂ〜６ｄで判定することとしてもよい。図９のフロー図中、携帯端末６ｂ〜６ｄが模範拍子情報を要求するまでの処理（Ｓ３３はＳ２１に相当、Ｓ３４はＳ２２に相当）は、前述の実施形態と同様である。カラオケ装置２では、楽曲再生期間中、模範拍子タイミングが到来する毎（Ｓ３５）に、通知対象ユーザーが所持する携帯端末６ｂ〜６ｄに模範拍子タイミングを送信する。
【００６３】
一方、通知対象ユーザーが所持する各携帯端末６ｂ〜６ｄは、マイクロホン６７ｂで周囲音を収音（Ｓ３７）し、実際に打たれている拍子のタイミングを判定する（Ｓ３８）。このように携帯端末６ｂ〜６ｄにおいて周囲音を収音した場合、携帯端末６ｂ〜６ｄを所持する個々の聴取ユーザーが打つ拍子を判定することが可能となる。例えば、ユーザーＢのみが、タイミングのずれた拍子を打っている場合、ユーザーＢのみの携帯端末６ｂで模範的な拍子を通知することが可能である。
【００６４】
実際の拍子のタイミングが適正でない場合（Ｓ３９：Ｎｏ）、カラオケ装置２から受信した模範拍子タイミングに基づき模範拍子の通知を行う（Ｓ４０）。一方、実際の拍子のタイミングが適正な場合（Ｓ３９：Ｙｅｓ）、模範拍子の通知を実行しない。カラオケ装置２は楽曲再生の終了が判定される（Ｓ３６：Ｙｅｓ）と、携帯端末６ｂ〜６ｄに対して楽曲終了通知を送信する。携帯端末６ｂ〜６ｄでは、楽曲の再生期間中、Ｓ３７〜Ｓ４０の処理を繰り返し実行し、カラオケ装置２から楽曲終了通知を受信する（Ｓ４１：Ｙｅｓ）ことで、この繰り返し処理を中止する。楽曲の終了後、携帯端末６ｂ〜６ｄは、周囲音から抽出した実際の拍子に対する評価を算出する（Ｓ４２）。算出された評価結果は、携帯端末６ｂ〜６ｄにおいて、タッチパネル表示部６８に表示する等の形態で、聴取ユーザーに通知される。変形例２では、個々の携帯端末６ｂ〜６ｄで収音した周囲音に基づいて評価が行われる。携帯端末６ｂ〜６ｄは、聴取ユーザーが身につけている、あるいは、聴取ユーザーの身近に置かれていることが多いため、各携帯端末６ｂ〜６ｄで、聴取ユーザーが打った拍子に対する評価を行うことが可能である。
【００６５】
なお、図７〜９で説明した、本実施形態と、２つの変形例について、通知対象処理（Ｓ２１、Ｓ２５、Ｓ３３）は、通知対象ユーザーの携帯端末６ｂ、６ｃ、６ｄのみと通信を確立し、歌唱ユーザーの携帯端末６ａとは通信を確立しない。このように接続する携帯端末６の数を削減することで、店舗内の無線ＬＡＮの混雑を緩和し、通信できない、あるいは、通信に遅延が生じるといった不具合の抑制を図ることが可能である。
【００６６】
他の形態として、カラオケ装置２は、通知対象特定処理（Ｓ２１、Ｓ２５、Ｓ３３）において、全ユーザーの携帯端末６ａ〜６ｄと通信を確立し、携帯端末６ａ〜６ｄに模範拍子タイミング（振動１）で通知し、その後の楽曲演奏開始（Ｓ２２，Ｓ２６、Ｓ３４）移行後の通信では、通知対象ユーザー６ｂ、６ｃ、６ｄのみと通信で模範拍子タイミング（振動２）としてもよい。このような構成により、振動１で携帯端末６の振動を用いて（音や光で明らかに明確にならないように）全員に歌唱開始を知らせ、振動２で通知対象ユーザーにのみ拍子を知らせることができる。こうすることで、歌唱ユーザーと通知対象ユーザーの双方に、スピーカー４２による可聴音や、カラオケ装置２などの具備されたインジケータの光を用いず、自然な状態のままで振動による振動で歌唱の開始を通知し、その後は通知対象ユーザーにのみ、拍子タイミングを通知することができる。よって、歌唱があってこそ（歌唱がスタートできてこそ）、拍子がある、という、本来の歌唱と拍子の関係を維持しながら、聴取ユーザーが適切な拍子で歌唱を演出することができる効果が得られる。
【００６７】
また、他の形態としては、拍子の通知をカラオケ装置側、あるいは、リモコン装置１側で行うこととしてもよい。携帯端末６を所持していない、あるいは、ログインしていない聴取ユーザーに対しても適切な拍子を通知することが可能となる。その際、拍子の通知は、歌唱ユーザーにとって、気付きにくい箇所で行うことが好ましい。例えば、歌詞を表示するモニタ４１ではなく、タッチパネルモニタ３３に表示する、あるいは、リモコン装置１のタッチパネルモニタ１１に表示すること、あるいは、リモコン装置１に振動機能を設け、通知される拍子に合わせてリモコン装置１を振動させること等が考えられる。あるいは、拍子を通知する専用のＬＥＤを設け、聴取ユーザーに向けて（歌唱ユーザーの目に付きにくい位置に設置する）こととしてもよい。
【００６８】
以上、本発明のカラオケ装置、カラオケシステムについて各種形態を説明したが、本発明のカラオケ装置、カラオケシステムによれば、聴取ユーザーの所持する携帯端末６を通知対象ユーザーとして模範拍子情報を送信し、聴取ユーザーに対して模範的な拍子を通知することとしている。このような構成により、歌唱ユーザーは、模範的な拍子を基準として拍子が打たれていることを意識することなく歌唱を楽しむことが可能となる。また、聴取ユーザーは、通知される模範拍子によって、適切に拍子を入れることが可能となり、歌唱の場を一層盛り上げることが可能となる。
【符号の説明】
【００６９】
１：リモコン装置                        ４１：モニタ
２：カラオケ装置                        ４２：スピーカー
５：サーバ装置                          ４３ａ、４３ｂ：歌唱用マイク
６（６ａ〜６ｄ）：携帯端末              ４４：収音用マイク
１１：タッチパネルモニタ                ５１：記憶部
１１ａ：表示部                          ６１：ＣＰＵ
１１ｂ：タッチパネル                    ６２：ＲＡＭ
１２：ビデオＲＡＭ                      ６３：記憶部
１３：映像制御部                        ６４：画像処理部
１４：メモリ                            ６５Ｆ：フロントカメラ
１５：制御部                            ６５Ｒ：リアカメラ
１６：無線ＬＡＮ通信部                  ６６：音響処理部
１７：操作部                            ６７ａ：スピーカー
１８：操作処理部                        ６７ｂ：マイクロホン
２１：操作部                            ６８：タッチパネル表示部
２２：操作処理部                        ６８ａ：タッチパネル
２４：ＬＡＮ通信部                      ６８ｂ：表示部
２５：音響制御部                        ６９ａ：第１通信部
２７：メモリ                            ６９ｂ：第２通信部
２８：ビデオＲＡＭ                      ７０（７０ａ〜７０ｃ）：入力スイッチ
２９：映像再生部                        ７２：振動部
３０：ＣＰＵ                            ７３：ＬＥＤ
３１：映像制御部                        １１０：アクセスポイント
３２：ハードディスク                    １２０：ルータ
３３：タッチパネルモニタ                １３０：ゲートウェイ
３４：タッチパネル                      １４０：携帯基地局
３５：表示部
【図１】
0006520561.tif 000002
【図２】
0006520561.tif 000003
【図３】
0006520561.tif 000004
【図４】
0006520561.tif 000005
【図５】
0006520561.tif 000006
【図６】
0006520561.tif 000007
【図７】
0006520561.tif 000008
【図８】
0006520561.tif 000009
【図９】
0006520561.tif 000010